(57)【要約】【課題】金属微粒子を有効に利用できるようにした新規なヘアーアイロンを得る。【解決手段】把持部２の先端部に連設されて毛髪を挟み込む挟み部３を備えるヘアーアイロンであって、挟み部３に挟んだ毛髪を加熱する加熱部４を設けるとともに、イオンを生成するイオン生成部５を複数設け、複数のイオン生成部５のうちの少なくとも１つを金属微粒子を生成する金属微粒子生成部５Ｂとした。【選択図】図１
2011005130.tif 000002
【特許請求の範囲】
【請求項１】
把持部と、当該把持部の一端に連設されて毛髪を挟み込む挟み部と、当該挟み部に設けられ挟んだ毛髪を加熱する加熱部と、イオンを生成する複数のイオン生成部と、を備えるヘアーアイロンであって、
前記複数のイオン生成部のうちの少なくとも１つが金属微粒子を生成する金属微粒子生成部であることを特徴とするヘアーアイロン。
【請求項２】
前記挟み部は、周面が加熱面となる円柱状の巻付け胴部と、
前記巻付け胴部の周面に接離自在となるように設けられて毛髪を挟み込む押え板と、を備えることを特徴とする請求項１に記載のヘアーアイロン。
【請求項３】
前記挟み部は、周面が加熱面となり、相互に接離自在となって毛髪を挟み込む一対の半円柱状の分割胴部と、
前記分割胴部の一方の周面に接離自在となるように設けられて毛髪を挟み込む押え板と、を備えることを特徴とする請求項１に記載のヘアーアイロン。
【請求項４】
前記挟み部は、対向する平坦面が加熱面となり、相互に接離自在となって毛髪を挟み込む一対の挟持胴部を備えることを特徴とする請求項１に記載のヘアーアイロン。
【請求項５】
前記イオン生成部は、放電によってイオンを生成する放電部を備えることを特徴とする請求項１〜４のうちいずれか１項に記載のヘアーアイロン。
【請求項６】
前記イオン生成部は、イオンを放出する放出口が設けられたカバーを備えており、
前記カバーが、前記把持部の外郭を成すハウジングに一体に設けられていることを特徴とする請求項１〜５のうちいずれか１項に記載のヘアーアイロン。
【請求項７】
前記カバーに前記放出口に通ずる放出流路が一体に設けられていることを特徴とする請求項６に記載のヘアーアイロン。
【請求項８】
前記放電部が、前記把持部の外郭を成すハウジングに一体成形された保持部によって保持されていることを特徴とする請求項５〜７のうちいずれか１項に記載のヘアーアイロン。
【請求項９】
前記ハウジングは、分割されたハウジングを結合することで形成されており、
前記放電部が、分割されたハウジングに挟み込まれた状態で保持されていることを特徴とする請求項８に記載のヘアーアイロン。
【発明の詳細な説明】
【技術分野】
【０００１】
本発明は、ヘアーアイロンに関する。
【背景技術】
【０００２】
一般に、ヘアーアイロンは、毛髪を挟み込む挟み部と、当該挟み部に設けられ挟んだ毛髪を加熱する加熱部と、を備えており、挟み部に挟んだ毛髪にカールやストレートなどの所望のくせ付けを施すことができるようになっている。このようなヘアーアイロンには、くせ付けする毛髪にマイナスイオンを放出するようにしたものがあり、マイナスイオンを毛髪に付着させることで、毛髪にツヤやしっとり感を与えるようになっている（たとえば、特許文献１参照）。
【先行技術文献】
【特許文献】
【０００３】
【特許文献１】特開２００５−１９８９８４号公報
【発明の概要】
【発明が解決しようとする課題】
【０００４】
ところで、電極を形成する金属の材料によっては、放電の際に金属を微粒子化して金属微粒子を放出することが知られている。
【０００５】
しかしながら、上記特許文献１には、このような金属微粒子を有効に利用できるようにしたヘアーアイロンについては開示されていない。
【０００６】
そこで、本発明は、金属微粒子を有効に利用できるようにした新規なヘアーアイロンを得ることを目的とする。
【課題を解決するための手段】
【０００７】
請求項１の発明にあっては、把持部と、当該把持部の一端に連設されて毛髪を挟み込む挟み部と、当該挟み部に設けられ挟んだ毛髪を加熱する加熱部と、イオンを生成する複数のイオン生成部と、を備えるヘアーアイロンであって、前記複数のイオン生成部のうちの少なくとも１つが金属微粒子を生成する金属微粒子生成部であることを特徴とする。
【０００８】
請求項２の発明にあっては、請求項１に記載のヘアーアイロンにおいて、前記挟み部は、周面が加熱面となる円柱状の巻付け胴部と、前記巻付け胴部の周面に接離自在となるように設けられて毛髪を挟み込む押え板と、を備えることを特徴とする。
【０００９】
請求項３の発明にあっては、請求項１に記載のヘアーアイロンにおいて、前記挟み部は、周面が加熱面となり、相互に接離自在となって毛髪を挟み込む一対の半円柱状の分割胴部と、前記分割胴部の一方の周面に接離自在となるように設けられて毛髪を挟み込む押え板と、を備えることを特徴とする。
【００１０】
請求項４の発明にあっては、請求項１に記載のヘアーアイロンにおいて、前記挟み部は、対向する平坦面が加熱面となり、相互に接離自在となって毛髪を挟み込む一対の挟持胴部を備えることを特徴とする。
【００１１】
請求項５の発明にあっては、請求項１〜４のうちいずれか１項に記載のヘアーアイロンにおいて、前記イオン生成部は、放電によってイオンを生成する放電部を備えることを特徴とする。
【００１２】
請求項６の発明にあっては、請求項１〜５のうちいずれか１項に記載のヘアーアイロンにおいて、前記イオン生成部は、イオンを放出する放出口が設けられたカバーを備えており、前記カバーが、前記把持部の外郭を成すハウジングに一体に設けられていることを特徴とする。
【００１３】
請求項７の発明にあっては、請求項６に記載のヘアーアイロンにおいて、前記カバーに前記放出口に通ずる放出流路が一体に設けられていることを特徴とする。
【００１４】
請求項８の発明にあっては、請求項５〜７のうちいずれか１項に記載のヘアーアイロンにおいて、前記放電部が、前記把持部の外郭を成すハウジングに一体成形された保持部によって保持されていることを特徴とする。
【００１５】
請求項９の発明にあっては、請求項８に記載のヘアーアイロンにおいて、前記ハウジングは、分割されたハウジングを結合することで形成されており、前記放電部が、分割されたハウジングに挟み込まれた状態で保持されていることを特徴とする。
【発明の効果】
【００１６】
請求項１の発明によれば、複数のイオン生成部のうちの少なくとも１つが金属微粒子を生成する金属微粒子生成部であるため、当該金属微粒子生成部で生成された金属微粒子を放出することができる。したがって、金属微粒子を有効に利用できるようにしたヘアーアイロンを得ることができる。
【００１７】
請求項２の発明によれば、周面が加熱面となる円柱状の巻付け胴部と、当該巻付け胴部の周面に接離自在となるように設けられて毛髪を挟み込む押え板と、によって挟み部を構成したので、巻付け胴部の周面と押え板との間に毛髪を挟み込んで加熱することにより、毛髪を効率良くカール状にくせ付けできる。
【００１８】
請求項３の発明によれば、周面が加熱面となり、相互に接離自在となって毛髪を挟み込む一対の半円柱状の分割胴部と、分割胴部の一方の周面に接離自在となるように設けられて毛髪を挟み込む押え板と、によって挟み部を構成したので、一対の分割胴部で毛髪を挟み込んで加熱することにより、毛髪をストレートにくせ付けできるとともに、分割胴部の一方と押え板との間に毛髪を挟み込むことにより、毛髪をカール状にくせ付けできる。このように、請求項３の発明によれば、ストレートとカールの両方を１つのヘアーアイロンによって達成できる。
【００１９】
請求項４の発明によれば、対向する平坦面が加熱面となり、相互に接離自在となって毛髪を挟み込む一対の挟持胴部で挟み部を構成したので、一対の挟持胴部で毛髪を挟み込んで加熱することにより、簡単な操作で毛髪をストレートにくせ付けできる。
【００２０】
請求項５の発明によれば、イオン生成部は、放電によってイオンを生成する放電部を備えることで、当該放電部でより多くのイオンを生成することができるため、生成されたイオンを効率よく放出できるようになる。
【００２１】
請求項６の発明によれば、イオンを放出する放出口が設けられたカバーを把持部の外郭を成すハウジングに一体に設けたので、帯電の影響や組み立てばら付きの影響を少なくすることができ、イオンを放出口から効率良く放出することができるようになる。
【００２２】
請求項７の発明によれば、カバーに放出口に通ずる放出流路を一体に設けたので、帯電の影響や組み立てばら付きの影響をより少なくすることができ、イオンを放出口からより一層効率良く放出することができるようになる。
【００２３】
請求項８の発明によれば、放電部を、把持部の外郭を成すハウジングに一体成形された保持部によって保持するようにしたので、帯電の影響や組み立てばら付きの影響の更なる減少を達成することができ、イオンを放出口から効率良く放出することができるようになる。
【００２４】
請求項９の発明によれば、放電部を、分割されたハウジングに挟み込まれた状態で保持するようにしたので、放電部の組み付け性を向上させることができる上、帯電の影響や組み立てばら付きの影響を少なくすることができ、イオンを放出口から効率良く放出することができるようになる。
【図面の簡単な説明】
【００２５】
【図１】図１は、本発明の第１実施形態にかかるヘアーアイロンの平面図である。
【図２】図２は、図１に示すヘアーアイロンの側面図である。
【図３】図３は、図１中III−III線に沿った断面図である。
【図４】図４は、図１に示すヘアーアイロンの放電部を模式的に示す説明図であって、（ａ）は側面断面図、（ｂ）は正面断面図である。
【図５】図５は、図１に示すヘアーアイロンの帯電部を模式的に示す説明図である。
【図６】図６は、図１中VI部の拡大断面図である。
【図７】図７は、図１中VII−VII線に沿った拡大断面図である。
【図８】図８は、図１中VIII−VIII線に沿った拡大断面図である。
【図９】図９は、本発明の第２実施形態にかかるヘアーアイロンの平面図である。
【図１０】図１０は、図９に示すヘアーアイロンの側面図である。
【図１１】図１１は、図９中XI−XI線に沿った断面図である。
【図１２】図１２は、本発明の第３実施形態にかかるヘアーアイロンの平面図である。
【図１３】図１３は、図１２に示すヘアーアイロンの側面図である。
【図１４】図１４は、図１２中XIV−XIV線に沿った断面図である。
【発明を実施するための形態】
【００２６】
以下、本発明の実施形態について図面を参照しながら詳細に説明する。
【００２７】
（第１実施形態）
本実施形態では、主に毛髪をカールする場合に用いられるヘアーアイロン１に本発明を適用した場合を例示する。
【００２８】
図１および図２に示すように、ヘアーアイロン１は、一般的に、把持部２の先端部に毛髪を挟み込む挟み部３が連設されており、図３に示すように、その挟み部３には、挟んだ毛髪を加熱する加熱部としてのヒータ４が設けられている。
【００２９】
本実施形態では、挟み部３は、図２に示すように、把持部２の先端方向に連設して周面が加熱面となる円柱状の巻付け胴部３１と、把持部２から先端方向に突出して巻付け胴部３１の周面に接離自在となって毛髪を挟み込む押え板３２と、によって構成されている。
【００３０】
巻付け胴部３１は、熱伝導性が高い金属によって断面円形状の中空体として形成されており、その内部に前記ヒータ４が内蔵されている。そして、ヒータ４の熱で巻付け胴部３１を加熱することにより、巻付け胴部３１の周面を温めるようになっている。
【００３１】
押え板３２は、巻付け胴部３１の周面に沿った断面円弧状に形成されており、枢支点Ｐ１を軸に回動できるように枢着されている。本実施形態では、押え板３２は、先端方向にへら状に延在する押え面部３２ａと、この押え面部３２ａの基端部から把持部２方向に延出される操作部３２ｂと、を備えている。そして、操作部３２ｂは、図３に示すように、その先端側が把持部２から離れるように傾斜して持ち上がっており、その基部が把持部２の先端部にばね３３を介して取り付けられている。
【００３２】
押え板３２は、自然状態では、押え面部３２ａがばね３３の付勢力によって巻き付け胴部３１の周面に弾接されるようになっている。したがって、操作部３２ｂを、ばね３３の付勢力に抗して巻付け胴部３１方向に押し付ける方向に操作することにより、押え面部３２ａが拡開して巻付け胴部３１から離れる。この状態で押え面部３２ａと巻付け胴部３１との間に毛髪の束を差し込んだ後、操作部３２ｂの押し付け力を解除すると、押え面部３２ａと巻付け胴部３１の周面との間に、ばね３３の付勢力で毛髪を挟み込むことができる。このようにして、押え面部３２ａと巻付け胴部３１との間に挟まれた毛髪が加熱面となった巻付け胴部３１の周面から加熱されて温められ、毛髪にカール状のくせ付けを施すことができる。また、巻付け胴部３１の先端には、水タンク９が設けられており、水タンク９内に貯水された水をヒータ４に供給して蒸発させることで巻付け胴部３１の周面から外方にスチームとして噴出させることができるようになっている。
【００３３】
また、本実施形態では、ヘアーアイロン１には、図１および図２に示すように、イオンを生成する２つのイオン生成部５が設けられており、２つのイオン生成部５のうちの１つがミストを生成するミスト生成部５Ａとなっており、他の１つが金属微粒子を生成する金属微粒子生成部５Ｂとなっている。そして、このミスト生成部５Ａおよび金属微粒子生成部５Ｂは、それぞれ、放電によってイオン（ミストおよび金属微粒子）を発生させる放電部６Ａ、６Ｂと、発生したイオンを放出する放出口５１Ａ、５１Ｂが設けられたカバー５３Ａ、５３Ｂと、放出口５１Ａ、５１Ｂに通ずる放出流路６１Ａ、６１Ｂとを備えている。このミスト生成部５Ａおよび金属微粒子生成部５Ｂは、図１に示すように、把持部２の先端側の両側に突出した状態で設けられている。
【００３４】
そして、放電部６Ａが、放出口５１Ａに通ずる放出流路６１Ａの内部に配置されるとともに、放電部６Ｂが放出口５１Ｂに通ずる放出流路６１Ｂの内部に配置されている。
【００３５】
ここで、放電部６Ａ、６Ｂの概要を図４に基づいて説明する。
【００３６】
放電部６Ａ、６Ｂは、それぞれ、放出流路６１Ａ、６１Ｂのほぼ中心部に配置される放電極６２Ａ、６２Ｂと、放出流路６１Ａ、６１Ｂの中心部から外れた位置に配置されるグランド電極６３Ａ、６３Ｂと、放電極６２Ａ、６２Ｂに高電圧を印加する高電圧発生回路６４Ａ、６４Ｂと、を備えている。
【００３７】
そして、放電部６Ａは、高電圧発生回路６４Ａからグランド電極６３Ａを基準として放電極６２Ａに高電圧を印加して放電（コロナ放電等）を生じさせ、放電作用によって結露水を微粒化することで、ナノメータサイズの非常に細かいミスト（マイナスイオンを含むマイナスに帯電されたミスト）を生成するものである。
【００３８】
なお、この放電部６Ａとしては、ペルチェ素子および熱伝導性を有する部材（例えば金属部材等）からなる冷却板と、冷却板を冷却する際に発生する熱量を放熱する放熱フィンとを備え、ペルチェ素子によって冷却された冷却板の表面に空気中の水分を結露させ、結露水を生じさせる公知のものを用いることができる。
【００３９】
また、放電部６Ｂは、高電圧発生回路６４Ｂからグランド電極６３Ｂを基準として放電極６２Ｂに高電圧を印加して放電（コロナ放電等）を生じさせ、その放電作用によって放電極６２Ｂやグランド電極６３Ｂ等から金属微粒子（金属の分子やイオン等）を放出させるものである。
【００４０】
この放電部６Ｂの放電極６２Ｂは、例えば、遷移金属（例えば、金、銀、銅、白金、亜鉛、チタン、ロジウム、パラジウム、イリジウム、ルテニウム、オスミウム等）の単体、合金、あるいは遷移金属をメッキ処理した部材等として構成することができる。放電部６Ｂで生成され放出された金属の微粒子に、金や、銀、銅、亜鉛等が含まれている場合、当該金属の微粒子によって抗菌作用を生じさせることができる。また、金属の微粒子に、白金、亜鉛、チタン等が含まれている場合、当該金属の微粒子によって抗酸化作用を生じさせることができる。なお、白金の微粒子は、抗酸化作用が極めて高いことが判明している。なお、金属微粒子の放出をさせない部分（例えばグランド電極６３Ｂ等）は、ステンレススチールや、タングステン等を用いて構成することができる。
【００４１】
また、放電部６Ｂは、放電作用によってイオン（例えばマイナスイオン、例えばＮＯ２−、ＮＯ３−等）を生じさせ、このイオンを、放電極６２Ｂや、グランド電極６３Ｂ、他の金属材料や金属成分を含む部材等に衝突させることで、金属微粒子を生成するものであってもよい。すなわち、グランド電極６３Ｂや上記他の部材を、上記遷移金属を含む材料によって構成し、これらから金属微粒子を放出させるようにしてもよい。
【００４２】
また、放出流路６１Ａ、６１Ｂ内にファンを内蔵し、そのファンの風力によってミストや金属微粒子を放出口５１Ａ、５１Ｂから外方に放出させるようにしてもよい。
【００４３】
上述したように、本実施形態にかかるヘアーアイロン１は、イオンならびに金属の微粒子を放出するものであるが、これらの電荷が使用者に蓄積されると、イオンが使用者に向けて放出されにくくなり、ひいては、金属の微粒子も放出され難くなる。そこで、本実施形態にかかるヘアーアイロン１に、使用者を、イオン生成部５で発生するイオンの電荷の反対極に帯電させる帯電部７を設けた。
【００４４】
帯電部７は、回路（図示せず）と、当該回路に導線を介して接続されるとともに、把持部２の外表面に露出する導電部材７２と、を備えている。そして、例えばイオン生成部５で発生するイオンがマイナスの場合には、回路内にグランドレベルより電位を高くする電圧源（例えば電池、コンデンサ等）を設け、その正極に導線を介して導電部材７２を接続し、当該導電部材７２をイオン生成部５のグランドレベルより所定電圧分だけプラスの高い電位となるようにする（イオン生成部５で発生するイオンがプラスの場合には、導電部材７２をイオン生成部５のグランドレベルより所定電圧分だけマイナスの低い電位となるようにする）。なお、図５は、イオン生成部５で発生するイオンがマイナスの場合を模式的に示した図である。
【００４５】
また、導電部材７２は、導電性材料（例えば導体フィラーを含む合成樹脂材料等）によって所定形状に成形されており、把持部２の外表面に固定されている。
【００４６】
このように、帯電部７を設け、イオン生成部５で発生するイオンの電荷とは反対の極に使用者を帯電させることで、イオン生成部５で発生するイオンの電荷が使用者に蓄積されてイオンが使用者に到達しにくくなってしまうのを抑制することができるようになる。
【００４７】
そして、上述したヒータ４、放電部６Ａ、６Ｂおよび帯電部７には、把持部２の基端部から延びる電源コードＣを介して電気が供給されるようになっている。また、把持部２の側面にはスイッチ８が設けられ、このスイッチ８の切換え制御によって、ヒータ４、放電部６Ａ、６Ｂおよび帯電部７への通電が制御される。
【００４８】
ところで、放出口５１Ａおよび放出口５１Ｂは、把持部２の外郭を形成するハウジング２１の先端部に設けられており、押え板３２の操作部３２ｂの両脇部分にほぼ対称に配置されている。そして、それら放出口５１Ａおよび放出口５１Ｂは、巻付け胴部３１と押え板３２とによる挟持部分３４に向けて開口している。このとき、挟持部分３４は、放出口５１Ａおよび放出口５１Ｂから放出されるミストおよび金属微粒子の放出角度γ内に収められる。これにより、放出口５１Ａおよび放出口５１Ｂから放出されたミストおよび金属微粒子は、巻付け胴部３１と押え板３２との間の挟持部分３４に挟み込んだ毛髪の束に効率良く付着されるようになる。
【００４９】
一般的に、挟持部分３４に挟み込んだ毛髪には、加熱面となる巻付け胴部３１の周面からの熱が他の部分に比べてより強く加わって、カール状のくせ付けが効率良く施される。このとき、強い熱の付加によって毛髪には痛みやパサ付きなどが生ずることがあるが、本実施形態では、上述したように挟持部分３４に挟み込んだ毛髪には、ミストや金属微粒子が付着されるので、毛髪の毛先までしっとりと仕上げることが可能となる。また、金属微粒子によって抗菌作用や抗酸化作用を得ることができる。
【００５０】
放出口５１Ａおよび放出口５１Ｂは、図１に示すように、ハウジング２１から突出した状態で設けられたカバー５３Ａ、５３Ｂにそれぞれ形成されており、それらカバー５３Ａ、５３Ｂには、放電部６Ａおよび放電部６Ｂが収納されている。また、カバー５３Ａ、５３Ｂは、ハウジング２１と一体成形されている。
【００５１】
このとき、放出口５１Ａおよび放出口５１Ｂは、巻付け胴部３１の周面から突出して配置されるが、それら放出口５１Ａおよび放出口５１Ｂを、巻付け胴部３１の周面から突出させ過ぎると、カバー５３Ａ、５３Ｂが大きく突出してヘアーアイロン１の使い勝手が悪化されることになる。このため、放出口５１Ａおよび放出口５１Ｂの突出量ｄは、ヘアーアイロン１の使い勝手を悪化させない程度、たとえば、２０ｍｍ程度までに抑える（０ｍｍ＜ｄ＜２０ｍｍ）のが好ましい。
【００５２】
また、放出口５１Ａおよび放出口５１Ｂの巻付け胴部３１の軸方向に対する傾斜角θは、それぞれの放出口５１Ａ、５１Ｂからの放出角度γ（０度＜γ＜１８０度）のほぼ半分の範囲（０度＜θ＜９０度）に設定されるのが好ましい。特に、本実施形態では、放電部６Ａおよび放電部６Ｂが、放電極６２Ａ、６２Ｂ（図４参照）を用いたコロナ放電によってミストおよび金属微粒子を発生させる構造であるため、それぞれの放出口５１Ａ、５１Ｂからの実際の放出角度γはおおよそ０度＜γ＜９０度となる。したがって、それぞれの放出口５１Ａ、５１Ｂの傾斜角θは、０度＜θ＜４５度の範囲に設定されるのが好ましい。
【００５３】
このように、放出口５１Ａおよび放出口５１Ｂを巻付け胴部３１の径外方向に突出した位置に配置し、それぞれの放出口５１Ａ、５１Ｂを巻付け胴部３１の径外方向を指向させて形成することで、放出口５１Ａおよび放出口５１Ｂから放出したミストおよび金属微粒子の大部分が、巻付け胴部３１の周面ではなく毛髪に直接付着されるようになる。
【００５４】
ここで、放出口５１Ａおよび放出口５１Ｂから放出されたミストおよび金属微粒子が、金属製の巻付け胴部３１の周面に大量に付着すると、巻付け胴部３１の周面全体が生成されたイオンと同極に帯電される。その帯電後に巻付け胴部３１の周面近傍にミストおよび金属微粒子がさらに放出されると、それらミストおよび金属微粒子を反発させて遠くに飛ばしてしまうことになる。その結果、ミストおよび金属微粒子を、巻付け胴部３１に挟み込まれた毛髪に付着させにくくなってしまう。
【００５５】
しかしながら、本実施形態にかかるヘアーアイロン１では、上述したように、巻付け胴部３１から径外方向に離れた位置にある放出口５１Ａおよび放出口５１Ｂから、ミストおよび金属微粒子を径外方向に向けて放出させているため、ミストおよび金属微粒子を毛髪全体に効率良く付着させることが可能となる。
【００５６】
また、カバー５３Ａ、５３Ｂには、図６および図８に示すように、放出口５１Ａおよび放出口５１Ｂにそれぞれ通ずる放出流路６１Ａ、６１Ｂがそれぞれ設けられるが、この放出流路６１Ａ、６１Ｂは、カバー５３Ａ、５３Ｂに一体に設けられている。なお、このカバーを厚肉形成して、その内側に放出流路を設けたり、カバーに筒体を一体成形することによって筒体の内側に放出流路を設けたりすることも可能である。
【００５７】
さらに、図６〜図８に示すように、放電部６Ａおよび放電部６Ｂは、ハウジング２１の内側に一体成形された保持部としての保持リブ２２によって固定される。具体的には、保持リブ２２は、ハウジング２１と一体に形成されたカバー５３Ａ、５３Ｂの内側に、放電部６Ａおよび放電部６Ｂをガタ付き無く保持し得るように複数突設されている。
【００５８】
また、ハウジング２１は、放出口５１Ａおよび放出口５１Ｂに対応した箇所で分割される２つの分割ハウジング２１Ａ、２１Ｂを結合することで形成されており、放電部６Ａおよび放電部６Ｂは、分割ハウジング２１Ａ、２１Ｂの結合時に、それら分割ハウジング２１Ａ、２１Ｂに挟み込まれる状態で、上述した保持リブ２２によって固定されるようになっている。
【００５９】
以上の本実施形態によれば、複数のイオン生成部５のうちの少なくとも１つを金属微粒子生成部５Ｂとしたので、当該金属微粒子生成部５Ｂで生成された金属微粒子を放出することができる。したがって、挟み部３の巻付け胴部３１と押え板３２との間に挟み込んだ毛髪を、ヒータ４で加熱しつつ毛髪に所望のくせ付けを施す際に、放出口５１Ｂから放出された金属微粒子を毛髪に付着させて、ミストによる効果に加えて、抗菌作用や抗酸化作用を得ることができる。すなわち、金属微粒子を有効に利用できるようにしたヘアーアイロン１を得ることができる。
【００６０】
また、本実施形態によれば、周面が加熱面となる円柱状の巻付け胴部３１と、この巻付け胴部３１の周面に接離自在となるように設けられて毛髪を挟み込む押え板３２と、によって挟み部３を構成したので、巻付け胴部３１の周面と押え板３２との間に毛髪を挟み込んで加熱することにより、毛髪を効率良くカール状にくせ付けできる。
【００６１】
さらに、本実施形態によれば、放出口５１Ａに通ずる内部に放電部６Ａを配設したことで、当該放電部６Ａでより多くのミスト（イオン）を生成することができるため、生成されたミストを放出口５１Ａから効率よく放出できる。また、放出口５１Ｂに通ずる内部に放電部６Ｂを配置したことで、当該放電部６Ｂでより多くの金属微粒子（イオン）を生成することができるため、生成された金属微粒子を放出口５１Ｂから効率よく放出できる。
【００６２】
さらにまた、本実施形態によれば、放出口５１Ａおよび放出口５１Ｂが設けられたカバー５３Ａ、５３Ｂを把持部２の外郭を成すハウジング２１に一体に設けたので、帯電の影響や組み立てばら付きの影響を少なくすることができ、放電部６Ａおよび放電部６Ｂで発生したミストや金属微粒子を、放出口５１Ａおよび放出口５１Ｂから効率良く放出することができるようになる。
【００６３】
また、本実施形態によれば、放出口５１Ａおよび放出口５１Ｂにそれぞれ通ずる放出流路６１Ａ、６１Ｂをカバー５３Ａ、５３Ｂに一体に設けたので、帯電の影響や組み立てばら付きの影響をより少なくすることができ、放電部６Ａおよび放電部６Ｂで発生したミストや金属微粒子を、放出口５１Ａおよび放出口５１Ｂからより一層効率良く放出することができるようになる。
【００６４】
さらに、本実施形態によれば、放電部６Ａおよび放電部６Ｂを、把持部２の外郭を成すハウジング２１に一体成形された保持リブ２２によって保持するようにしたので、帯電の影響や組み立てばら付きの影響の更なる減少を達成することができ、放電部６Ａおよび放電部６Ｂで発生したミストや金属微粒子を、放出口５１Ａおよび放出口５１Ｂから効率良く放出することができるようになる。
【００６５】
また、本実施形態によれば、放電部６Ａおよび放電部６Ｂを、分割ハウジング２１Ａ、２１Ｂに挟み込まれる状態で保持するようにしたので、放電部６Ａおよび放電部６Ｂの組み付け性を向上させることができる上、帯電の影響や組み立てばら付きの影響を少なくすることができ、放電部６Ａおよび放電部６Ｂで発生したミストや金属微粒子を、放出口５１Ａおよび放出口５１Ｂから効率良く放出することができるようになる。
【００６６】
（第２実施形態）
本実施形態では、毛髪をストレートにくせ付けでき、かつ、カール状にくせ付けできるヘアーアイロン１０に本発明を適用した場合を例示する。
【００６７】
本実施形態にかかるヘアーアイロン１０は、図９および図１０に示すように、上記第１実施形態と同様に、把持部２０の先端部に毛髪を挟み込む挟み部３０が連設されており、図１１に示すように、その挟み部３０には、挟んだ毛髪を加熱する加熱部としてのヒータ４０が設けられている。
【００６８】
ここで、本実施形態にかかるヘアーアイロン１０では、挟み部３０は、周面が加熱面となり、相互に接離自在となって毛髪を挟み込む一対の半円柱状の分割胴部３０１、３０２と、これら分割胴部３０１、３０２のうち一方の分割胴部３０１の周面に接離自在となって毛髪を挟み込む押え板３０３と、によって構成されている。なお、押え板３０３は、上記第１実施形態と同様に押え面部３０３Ａと操作部３０３Ｂとを備えて形成されている。
【００６９】
また、本実施形態では、把持部２０が、それぞれの分割胴部３０１、３０２に連設されるように分割された分割把持部２０１、２０２で構成されており、一方の分割把持部２０１の先端から一方の分割胴部３０１が一体に突設されるとともに、他方の分割把持部２０２の先端から他方の分割胴部３０２が一体に突設されている。
【００７０】
そして、図１０および図１１に示すように、それぞれ一体となった分割把持部２０１および分割胴部３０１と、分割把持部２０２および分割胴部３０２と、が相互に開閉（接離）できるようになっている。すなわち、分割把持部２０１の基部と分割把持部２０２の基部とが、図示省略したばねを介して枢支点Ｐ２を軸に回動できるように枢着されている。なお、ばねは、分割把持部２０１、２０２を所定量拡開する方向に付勢されており、両分割把持部２０１、２０２を握り絞めることにより、分割胴部３０１、３０２を閉じて、それらの間に毛髪を挟み込むことができるようになっている。
【００７１】
ヒータ４０は、それぞれの分割胴部３０１、３０２の内部に設けられ、分割胴部３０１、３０２の断面半円状となった周面がそれぞれ加熱面となっており、それら周面と押え板３０３との協働で毛髪にカール状のくせ付けを施すことができるようになっている。また、分割胴部３０１、３０２の対向面はそれぞれ平坦状となっており、それら対向面間に毛髪を挟み込んだ場合には、毛髪にストレート状のくせ付けを施すことができるようになっている。また、分割胴部３０１、３０２の先端には、水タンク９０が設けられており、水タンク９０内に貯水された水をヒータ４０に供給して蒸発させることで分割胴部３０１、３０２の周面から外方にスチームとして噴出させることができるようになっている。
【００７２】
押え板３０３は、一方の分割把持部２０１に枢支点Ｐ３（図１１参照）を介して回動可能に枢着されて、一方の分割胴部３０１の周面に弾接されるもので、上記第１実施形態の押え板３２とほぼ同様の形状および機能を有している。
【００７３】
ここで、本実施形態では、図９および図１０に示すように、一方の分割把持部２０１の先端部の両脇部に、上記第１実施形態と同様にイオンを生成する２つのイオン生成部５が設けられており、２つのイオン生成部５のうちの１つがミストを生成するミスト生成部５Ａとなっており、他の１つが金属微粒子を生成する金属微粒子生成部５Ｂとなっている。そして、ミスト生成部５Ａおよび金属微粒子生成部５Ｂから放出されるミストおよび金属微粒子の放出角度γ内に、分割胴部３０１、３０２の対向面および周面が収められるようになっている。また、放出口５０１Ａおよび放出口５０１Ｂを分割胴部３０１、３０２の径外方向に突出した位置に配置し、ミストおよび金属微粒子が毛髪全体に効率良く付着されるようにしてある。
【００７４】
そして、放出口５０１Ａおよび放出口５０１Ｂに通ずる内部には、上記第１実施形態と同様の放電部が配置されている。
【００７５】
また、本実施形態にかかるヘアーアイロン１０にあっても、図１０および図１１に示すように、使用者を、イオン生成部５で発生するイオンの電荷の反対極に帯電させる帯電部７０が設けられている。この帯電部７０は、上記第１実施形態に示した帯電部７（図５参照）と同様に構成されており、特に、本実施形態では、他方の分割把持部２０２の表面に導電部材７０２が露出して取り付けられている。さらに、図９に示すように、ヒータ４０、放電部および帯電部７０への通電を切換え制御するスイッチ８０は、一方の分割把持部２０１に設けられている。
【００７６】
さらに、本実施形態にあっても、放出口５０１Ａおよび放出口５０１Ｂは、図１０に示すように、一方の分割把持部２０１のハウジング２０３から突出した状態でそれぞれ設けられたカバー５０３Ａ、５０３Ｂに形成されており、それらカバー５０３Ａ、５０３Ｂは、ハウジング２０３と一体に成形されている。
【００７７】
また、カバー５０３Ａ、５０３Ｂには、放出口５０１Ａおよび放出口５０１Ｂにそれぞれ通ずる図示省略した放出流路が設けられており、この放出流路も、上記第１実施形態と同様、カバー５０３Ａ、５０３Ｂに一体に設けられている。
【００７８】
さらに、ハウジング２０３は、図１０に示すように、放出口５０１Ａおよび放出口５０１Ｂに対応した箇所で２つの分割ハウジング２０３Ａ、２０３Ｂに分割されており、この分割ハウジング２０３Ａ、２０３Ｂを結合することで、放電部が分割ハウジング２０３Ａ、２０３Ｂに挟み込まれる状態で保持されている。
【００７９】
以上の本実施形態によっても、上記第１実施形態と同様の作用、効果を奏することができる。
【００８０】
さらに、本実施形態によれば、挟み部３０を、周面が加熱面となり、相互に接離自在となって毛髪を挟み込む一対の半円柱状の分割胴部３０１、３０２と、これら分割胴部３０１、３０２の一方の周面に接離自在となって毛髪を挟み込む押え板３０３と、によって構成したので、一対の分割胴部３０１、３０２で毛髪を挟み込んで加熱することにより、毛髪をストレートにくせ付けできるとともに、一方の分割胴部３０１と押え板３０３との間に毛髪を挟み込むことにより、毛髪をカール状にくせ付けできる。そして、このような構成とすることで、ストレートとカールの両方を１つのヘアーアイロン１０によって達成することができる。
【００８１】
なお、分割胴部３０１、３０２の対向面は平坦状に限ることなく、毛髪にウエーブ状のくせ付けを施すことができるように波形状に形成したものを採用することも可能である。
【００８２】
（第３実施形態）
本実施形態では、毛髪をストレートにくせ付けできるヘアーアイロン１００に本発明を適用したものを例示する。
【００８３】
本実施形態にかかるヘアーアイロン１００は、図１２および図１３に示すように、上記第１実施形態と同様に、把持部２００の先端部に毛髪を挟み込む挟み部３００が連設されており、図１４に示すように、その挟み部３００には、挟んだ毛髪を加熱する加熱部としてのヒータ４００が設けられている。
【００８４】
ここで、本実施形態にかかるヘアーアイロン１００では、挟み部３００は、対向する平坦面が加熱面となり、相互に接離自在となって毛髪を挟み込む一対の挟持胴部３１０、３２０で構成されている。
【００８５】
また、本実施形態では、把持部２００が、挟持胴部３１０、３２０にそれぞれ連設されるように分割された分割把持部２１０、２２０で構成されており、一方の分割把持部２１０の先端から一方の挟持胴部３１０が一体に突設されるとともに、他方の分割把持部２２０の先端から他方の挟持胴部３２０が一体に突設されている。
【００８６】
そして、図１３および図１４に示すように、それぞれ一体となった分割把持部２１０および挟持胴部３１０と、分割把持部２２０および挟持胴部３２０と、が相互に開閉できるようになっている。すなわち、分割把持部２１０の基部と分割把持部２２０の基部とが、図示省略したばねを介して枢支点Ｐ４を軸に回動できるように枢着されている。なお、ばねは、分割把持部２１０、２２０を所定量拡開する方向に付勢されており、両分割把持部２１０、２２０を握り絞めることにより、挟持胴部３１０、３２０を閉じて、それらの間に毛髪を挟み込むことができるようになっている。挟持胴部３１０、３２０は、対向する平坦面の面積を広くするために、それぞれが扁平な断面形状となっている。
【００８７】
ヒータ４００は、それぞれの挟持胴部３１０、３２０の内部に設けられて、挟持胴部３１０、３２０の対向面が加熱面となっており、それら対向面間に毛髪を挟み込んだ場合には、毛髪にストレート状のくせ付けを施すことができるようになっている。
【００８８】
ここで、本実施形態では、図１２および図１３に示すように、一方の分割把持部２１０の先端部の両脇部に、上記第１実施形態と同様に、イオンを生成する２つのイオン生成部５が設けられており、２つのイオン生成部５のうちの１つがミストを生成するミスト生成部５Ａとなっており、他の１つが金属微粒子を生成する金属微粒子生成部５Ｂとなっている。そして、ミスト生成部５Ａおよび金属微粒子生成部５Ｂから放出されるミストおよび金属微粒子の放出角度γ内に、挟持胴部３１０、３２０の対向面が収められるようになっている。また、イオン放出口５１０Ａおよび金属イオン放出口５１０Ｂを挟持胴部３１０、３２０の径外方向に突出した位置に配置し、ミストおよび金属微粒子が毛髪全体に効率良く付着されるようにしてある。
【００８９】
そして、放出口５１０Ａ、放出口５１０Ｂに通ずる内部には、上記第１実施形態と同様の放電部が配置されている。
【００９０】
また、本実施形態のヘアーアイロン１００にあっても、図１３および図１４に示すように、使用者を、イオン生成部５で発生するイオンの電荷の反対極に帯電させる帯電部７００が設けられている。この帯電部７００は、第１の実施形態に示した帯電部７（図５参照）と同様に構成されており、特に、本実施形態では、他方の分割把持部２２０の表面に導電部材７２０が露出して取り付けられる。さらに、図１２に示すように、ヒータ４００、放電部および帯電部７００への通電を切換え制御するスイッチ８００は、一方の分割把持部２１０に設けられている。
【００９１】
さらに、本実施形態にあっても、放出口５１０Ａおよび放出口５１０Ｂは、図１３に示すように、一方の分割把持部２１０のハウジング２１１から突出した状態でそれぞれ設けられたカバー５３０Ａ、５３０Ｂに形成されており、それらカバー５３０Ａ、５３０Ｂは、ハウジング２１１と一体に成形されている。
【００９２】
また、カバー５３０Ａ、５３０Ｂには、放出口５１０Ａおよび放出口５１０Ｂにそれぞれ通ずる図示省略した放出流路が設けられており、この放出流路も、上記第１実施形態と同様、カバー５３０Ａ、５３０Ｂに一体に設けられている。
【００９３】
さらに、ハウジング２１１は、図１３に示すように、放出口５１０Ａおよび放出口５１０Ｂに対応した箇所で２つの分割ハウジング２１１Ａ、２１１Ｂに分割されており、この分割ハウジング２１１Ａ、２１１Ｂを結合することで、放電部が分割ハウジング２１１Ａ、２１１Ｂに挟み込まれる状態で保持されている。
【００９４】
以上の本実施形態によっても、上記第１実施形態と同様の作用、効果を奏することができる。
【００９５】
さらに、本実施形態によれば、対向する平坦面が加熱面となり、相互に接離自在となって毛髪を挟み込む一対の挟持胴部３１０、３２０によって挟み部３００を構成したので、一対の挟持胴部３１０、３２０で毛髪を挟み込んで加熱することにより、簡単な操作で毛髪をストレートにくせ付けできる。
【００９６】
以上、本発明の好適な実施形態について説明したが、本発明は上記実施形態には限定されず、種々の変形が可能である。
【００９７】
たとえば、上記各実施形態ではイオン生成部を２つ設けた場合を例示したが、これに限らず、３つ以上のイオン生成部を設けるようにし、それら複数のイオン生成部のうち少なくとも１つが金属微粒子生成部であればよい。
【００９８】
また、上記各実施形態では、ミスト生成部および金属微粒子生成部として、放電によりミストや金属微粒子を生成させるものを例示したが、ミスト生成部として、水を加熱してスチームを発生させるスチーム発生機構を搭載してもよいし、金属微粒子生成部として、金属の溶液を霧化して金属微粒子を生成する金属溶液霧化機構を搭載してもよい。
【００９９】
また、放電極やグランド電極、把持部、その他細部のスペック（形状、大きさ、レイアウト等）も適宜に変更可能である。
【符号の説明】
【０１００】
１、１０、１００  ヘアーアイロン
２、２０、２００  把持部
２１、２０３、２１１  ハウジング
２１Ａ、２１Ｂ、２０３Ａ、２０３Ｂ、２１１Ａ、２１１Ｂ  分割ハウジング
２２  保持リブ（保持部）
３、３０、３００  挟み部
３１  巻付け胴部
３０１、３０２  分割胴部
３１０、３２０  挟持胴部
３２、３０３  押え板
４、４０、４００  ヒータ（加熱部）
５  イオン生成部
５Ａ  ミスト生成部
５Ｂ  金属微粒子生成部
５１Ａ、５１Ｂ、５０１Ａ、５０１Ｂ、５１０Ａ、５１０Ｂ  放出口
５３Ａ、５３Ｂ、５０３Ａ、５０３Ｂ、５３０Ａ、５３０Ｂ  カバー
６Ａ、６Ｂ  放電部
６１Ａ、６１Ｂ  放出流路
【図１】
2011005130.tif 000003
【図２】
2011005130.tif 000004
【図３】
2011005130.tif 000005
【図４】
2011005130.tif 000006
【図５】
2011005130.tif 000007
【図６】
2011005130.tif 000008
【図７】
2011005130.tif 000009
【図８】
2011005130.tif 000010
【図９】
2011005130.tif 000011
【図１０】
2011005130.tif 000012
【図１１】
2011005130.tif 000013
【図１２】
2011005130.tif 000014
【図１３】
2011005130.tif 000015
【図１４】
2011005130.tif 000016